(57)【要約】【課題】通常の電圧よりも高い電圧を供給する電源を別途設ける必要がなく、データの書替の処理速度が低下しない、撮影装置を提供する。【解決手段】ステップ２０４で、ＵＳＢインタフェース１５０がパーソナルコンピュータに接続されており、かつ、パーソナルコンピュータからのデータ書替要求信号が受信される場合には、データ書替モードであると判断される。データ書替モードであると判断された場合には、ステップ２０６で、切替スイッチ１０８をフラッシュＲＯＭ１１４側に設定する。電源回路１０４は、フラッシュＲＯＭ１１４に電源を供給する。電圧が供給されることにより、フラッシュＲＯＭ１１４のデータ書替が可能な状態になると、パーソナルコンピュータにデータ書替可能信号が送信され、ステップ２０８で、データ書替処理が行われる。【選択図】　　　　図１
2004128722.tif 000002
【特許請求の範囲】
【請求項１】
撮影装置であって、
被写体を撮影する撮影手段と、
データを書き替えるために電源の供給を要するメモリと、
前記撮影装置の外部に位置するデータ変更装置と該撮影装置とを接続する接続手段と、
前記撮影手段および前記メモリのいずれか一方に電源を供給することができる電源回路と、
前記電源回路の電源供給先を前記撮影手段および前記メモリのいずれか一方に切り替える切替手段と、
前記接続手段を介して、前記撮影装置が前記データ変更装置から前記データ書替要求信号を入力した場合に、前記電源回路の電源供給先を前記メモリに切り替えるように、前記切替手段を制御する制御手段と、
を有する、撮影装置。
【請求項２】
前記電源回路は、第１の電圧と、該第１の電圧よりも高い第２の電圧と、を供給可能に構成され、前記撮影手段には該第１の電圧を供給し、前記メモリには該第２の電圧を供給する、請求項１に記載の撮影装置。
【請求項３】
撮影装置であって、
被写体を撮影する撮影手段と、
データを書き替えるために電源の供給を要するメモリと、
前記撮影装置の外部に位置するデータ変更装置と該撮影装置とを接続する接続手段と、
前記撮影手段および前記メモリのいずれか一方に電源を供給することができる電源回路と、
前記電源回路の電源供給先を前記撮影手段および前記メモリのいずれか一方に切り替える切替手段と、
前記電源回路の電圧値を計測する電圧計測手段と、
前記メモリのデータ書替が不可能であることを報知する報知手段と、
前記接続手段を介して、前記撮影装置が前記データ変更装置から前記データ書替要求信号を入力し、かつ、前記電圧計測手段により計測された前記電源回路の電圧値が前記メモリのデータ書替のために要求される電圧値より大きい場合、該電源回路の電源供給先を前記メモリに切り替えるように前記切替手段を制御し、前記接続手段を介して、前記撮影装置が前記データ変更装置から前記データ書替要求信号を入力し、かつ、前記電圧計測手段により計測された前記電源回路の電圧値が前記メモリのデータ書替のために要求される電圧値より小さい場合、データ書替が不可能であることを報知するように前記報知手段を制御する制御手段と、
を有する、撮影装置。
【請求項４】
前記メモリはフラッシュＲＯＭである、請求項１〜３のいずれか一項に記載の撮影装置。
【発明の詳細な説明】
【０００１】
【発明の属する技術分野】
本発明は、撮影装置に係り、詳細には、メモリに電源を供給する撮影装置に関する。
【０００２】
【従来の技術】
撮影装置のデータ、例えば、制御プログラムなどのファームウェアは、撮影装置の製造段階や保守段階における更新に対応するために、書き換えが可能であることが所望される。このため、撮影装置には、消去や書き替えが比較的容易なメモリとして、例えば、フラッシュＲＯＭがデータを記憶するために内蔵されることが多い。フラッシュＲＯＭは、記憶されたデータを電気的に一括消去し、繰り返し書き替えを行うことができる。
【０００３】
しかしながら、このようなメモリの書き替えを行うためには、通常の電圧より高い電圧を別途メモリに供給しなければならない。したがって、撮影装置内に通常の電圧より高い電圧を別途供給するための電源回路を設ける必要がある。この電源回路を設けることにより、撮影装置が大型化し、かつ、電源回路を設けるために、撮影装置の製造コストが増大する。
【０００４】
このため、従来の撮影装置は、通常の使用状態では、装置の外面に露出することのない位置に配置され、かつ、装置外部の電源と接続されてメモリにデータ書き替えのための通常の電圧より高い電圧を供給する接続端子を備える（例えば、特許文献１参照）。これによれば、接続端子により装置外部の電源と接続するため、撮影装置内に通常の電圧より高い電圧を別途メモリに供給するための電源回路を設ける必要がない。
【０００５】
しかし、このような撮影装置は、接続端子を通常使用しない状態では装置の外面に露出しないようにしたり、防滴性を高めたりする必要があり、これにより、撮影装置の製造コストが増大する。また、接続端子が外面に露出しない構造となっているため、装置外部の電源と接続するために、撮影装置を分解して接続端子が露出するようにする必要があり、これにより、作業効率を著しく低下させる。
【０００６】
別の従来の撮影装置は、ストロボの充電、機構部分およびＣＣＤの駆動のための電源を、時分割でメモリと共用する（例えば、特許文献２）。これによれば、時分割で電源を共用するため、撮影装置内に通常の電圧より高い電圧を別途メモリに供給するための電源回路を設ける必要がない。
【０００７】
【特許文献１】
特開平１０−１８６４８５号（段落番号「００２３」〜「００２８」、図１）
【特許文献２】
特開平９−９３５２３号（段落番号「０１０７」〜「０１２１」、図４８）
【０００８】
【発明が解決しようとする課題】
しかし、このような撮影装置は、時分割でストロボの充電、機構部分およびＣＣＤの駆動のための電源を、メモリと共用するため、ストロボの充電、機構部分およびＣＣＤの駆動、および、メモリのデータ書替の双方の処理速度が低下する。また、動作プログラムを実行しながら、ファームウェアを書き替えることになるので、場合によっては、ファームウェアの書き替えに失敗することも考えられ、非常に危険を伴う。
【０００９】
本発明は、上記事実に鑑みなされたもので、通常の電圧よりも高い電圧を供給する電源を別途設ける必要がなく、かつ、データ書替の処理速度が低下することのない、撮影装置を提供することを目的とする。
【００１０】
【課題を解決するための手段】
上記目的を達成するために、請求項１に記載の撮影装置は、被写体を撮影する撮影手段と、データを書き替えるために電源の供給を要するメモリと、前記撮影装置の外部に位置するデータ変更装置と該撮影装置とを接続する接続手段と、　前記撮影手段および前記メモリのいずれか一方に電源を供給することができる電源回路と、前記電源回路の電源供給先を前記撮影手段および前記メモリのいずれか一方に切り替える切替手段と、前記接続手段を介して、前記撮影装置が前記データ変更装置から前記データ書替要求信号を入力した場合に、前記電源回路の電源供給先を前記メモリに切り替えるように、前記切替手段を制御する制御手段と、　を有する。
【００１１】
すなわち、撮影装置は、接続手段を介して、データ変更装置からデータ書替要求信号を入力した場合に、電源回路の電源供給先をメモリに切り替えるように、切替手段を制御する。このように、接続手段を介して、データ変更装置からデータ書替要求信号を入力した場合に、電源回路の電源供給先をメモリに切り替えるようにしているので、本発明は、通常の電圧よりも高い電圧を供給する電源を別途設ける必要がなく、かつ、メモリに電源を供給している間、撮影手段に時分割で電源を供給しないため、データ書替の処理速度が低下することのない、撮影装置を提供することができる。
【００１２】
請求項２に記載されるように、請求項１の撮影装置の電源回路は、第１の電圧と、該第１の電圧よりも高い第２の電圧と、を供給可能に構成され、撮影手段には第１の電圧を供給し、メモリには第２の電圧を供給することができる。
【００１３】
請求項３に記載の撮影装置は、被写体を撮影する撮影手段と、データを書き替えるために電源の供給を要するメモリと、前記撮影装置の外部に位置するデータ変更装置と該撮影装置とを接続する接続手段と、前記撮影手段および前記メモリのいずれか一方に電源を供給することができる電源回路と、前記電源回路の電源供給先を前記撮影手段および前記メモリのいずれか一方に切り替える切替手段と、前記電源回路の電圧値を計測する電圧計測手段と、前記メモリのデータ書替が不可能であることを報知する報知手段と、前記接続手段を介して、前記撮影装置が前記データ変更装置から前記データ書替要求信号を入力し、かつ、前記電圧計測手段により計測された前記電源回路の電圧値が前記メモリのデータ書替のために要求される電圧値より大きい場合、該電源回路の電源供給先を前記メモリに切り替えるように前記切替手段を制御し、前記接続手段を介して、前記撮影装置が前記データ変更装置から前記データ書替要求信号を入力し、かつ、前記電圧計測手段により計測された前記電源回路の電圧値が前記メモリのデータ書替のために要求される電圧値より小さい場合、データ書替が不可能であることを報知するように前記報知手段を制御する制御手段と、を有する。
【００１４】
すなわち、撮影装置は、接続手段を介して、撮影装置がデータ変更装置からデータ書替要求信号を入力し、かつ、電源回路の電圧値がメモリのデータ書替のために要求される電圧値より大きい場合、電源回路の電源供給先をメモリに切り替え、接続手段を介して、撮影装置がデータ変更装置からデータ書替要求信号を入力し、かつ、電源回路の電圧値がメモリのデータ書替のために要求される電圧値より小さい場合、データ書替が不可能であることを報知するようにしているので、本発明は、通常の電圧よりも高い電圧を供給する電源を別途設ける必要がなく、かつ、メモリに電源を供給している間、撮影手段に時分割で電源を供給しないため、データ書替の処理速度が低下することがなく、また、電源回路の電圧値がメモリのデータ書替のために要求される電圧値より小さい場合には、メモリに電源を供給しないため、メモリのデータ書替途中に電圧値の不足により処理が停止することがない、撮影装置を提供することができる。
【００１５】
請求項４に記載されるように、請求項１〜３の撮影装置のメモリはフラッシュＲＯＭであってもよい。
【００１６】
【発明の実施の形態】
以下、本発明の第１の実施の形態を図面を参照して説明する。
【００１７】
図１に示すように、本発明の実施の形態にかかる撮影装置であるディジタルカメラ１０は、被写体からの光線を受光するレンズユニット１２０、受光された光線が結像される撮影手段としてのＣＣＤ１１２、ＣＣＤ１１２を駆動するＣＣＤドライバ１１０、タイミング信号を生成するタイミングジェネレータ１２２、相関二重サンプリングを行うＣＤＳおよびゲインコントロールの増幅を行うＡＭＰ１２４、アナログ信号をデジタル信号に変換するＡ／Ｄ変換器１２６、画像入力をコントロールする画像入力コントローラ１２８、画像信号処理を行う画像信号処理回路１３０、画像信号の圧縮および伸張を行う圧縮伸張処理回路１３２、画像信号をＮＴＳＣ方式へ変換するビデオエンコーダ１３４、画像信号を記憶するＶＲＡＭ１４０、画像信号を記憶する記憶メディア１４４、記憶メディア１４４をコントロールするメディアコントローラ１４２、被写体を撮影して生成された画像を表示するＬＣＤなどの画像表示装置１３６、カメラの状態を報知するための報知手段としてのＬＥＤ１５６、ファームウェアなどのデータを記憶するメモリとしてのフラッシュＲＯＭ１１４、フラッシュＲＯＭの内容を展開するためのＳＤＲＡＭ１３８を含む。
【００１８】
ディジタルカメラ１０は、さらに、これらの構成要素を制御するための制御手段としてのＣＰＵ１０２、ＣＰＵ１０２に電源を供給する直流電圧コンバータ１０４Ｄを含む電源回路１０４、電源回路１０４の電圧値を計測する電圧計測手段としての電圧計測回路１５８、ディジタルカメラ１０とデータ変更装置としてのパーソナルコンピュータとをＵＳＢケーブルを介して接続する接続手段としてのＵＳＢインタフェース１５０、および、ズームおよびフォーカスを変更するためにレンズユニット１２０に接続されているレンズユニットドライバ１５４を調整し、絞り１１８を調整するための絞りドライバ１５２を駆動するモータドライバ１１６、を有する。また、ディジタルカメラ１０は、被写体を撮影する際にユーザに押下されるシャッター１４６、静止画撮影モード、動画撮影モード、再生モードを切り替えるためのスイッチ１４８、ディジタルカメラ１０の電源をＯＮ／ＯＦＦする電源スイッチ１０６、および、電源回路１０４による電源の供給をＣＣＤドライバ１１０側とフラッシュＲＯＭ１１４側とのいずれかに切り替える切替手段としての切替スイッチ１０８を含む。
【００１９】
次に、図２を用いて、本発明の第１の実施の形態の作用を説明する。
【００２０】
ユーザにより電源スイッチ１０６がＯＮに設定され、電源が投入されるとディジタルカメラ１０が起動し、処理が開始される。ステップ２０２で、切替スイッチ１０８がＣＣＤドライバ１１０側に設定され、第１の電圧としての通常の電圧がＣＣＤドライバ１１０を介してＣＣＤに供給される。
【００２１】
次に、フラッシュＲＯＭ１１４に記憶されているデータ、例えば、ファームウェアであるディジタルカメラ１０の制御プログラムの内容がＳＤＲＡＭ１３８に展開される。ＳＤＲＡＭ１３８に展開された制御プログラムはＣＰＵ１０２により実行され、これにより、ステップ２０４で、フラッシュＲＯＭ１１４のデータ書替モードであるか否かが判断される。
【００２２】
詳細には、接続手段であるＵＳＢインタフェース１５０が、ＵＳＢケーブルを介してデータ変更装置であるパーソナルコンピュータと接続されているか否か、および、接続されている場合には、パーソナルコンピュータからフラッシュＲＯＭ１１４のデータ書替要求信号がＵＳＢケーブルを介して入力されるか否かが判断される。ＵＳＢインタフェース１５０がパーソナルコンピュータに接続されており、かつ、パーソナルコンピュータからのデータ書替要求信号が入力される場合には、データ書替モードであると判断される。
【００２３】
データ書替モードであると判断された場合には、ステップ２０６で、切替スイッチ１０８をフラッシュＲＯＭ１１４側に設定する。この設定により、電源回路１０４は、直流電圧コンバータ１０４Ｄにより通常の電圧を第２の電圧である通常より高い電圧に変換し、フラッシュＲＯＭ１１４の書き込み電源入力端子に供給する。
【００２４】
フラッシュＲＯＭ１１４に通常より高い電圧が供給されることにより、フラッシュＲＯＭ１１４のデータ書替が可能な状態になると、パーソナルコンピュータにデータ書替可能信号が送信され、ステップ２０８で、データ書替処理が行われる。詳細には、パーソナルコンピュータから書替データが送信され、ＳＤＲＡＭ１３８で展開される。展開されたデータによりフラッシュＲＯＭ１１４のデータが書き替えられる。
【００２５】
データ書替が終了したら、ステップ２１０で、切替スイッチ１０８をＣＣＤドライバ１１０側に切り替える。これにより、ＣＣＤドライバ１１０を介してＣＣＤ１１２に電源回路１０４から通常の電圧が供給される。
【００２６】
一方、ステップ２０４で、データ書替モードではないと判断された場合には、ステップ２１２で、撮影処理が行われる。例えば、スイッチ１４８が静止画撮影モードに設定されている場合、タイミングジェネレータ１２２により出力されるタイミング信号を基準にＣＣＤ１１２が駆動され、光／電気変換により画像データが生成される。生成された画像データは、ＣＤＳ　ＡＭＰ１２４により相関二重サンプリング、および、ゲインコントロールの増幅がされる。
【００２７】
ＣＤＳ　ＡＭＰ１２４より出力される画像データのアナログ信号は、Ａ／Ｄ変換器１２６によりデジタル信号に変換され、画像入力コントローラ１２８を介してＳＤＲＡＭ１３８に記憶される。ＳＤＲＡＭ１３８に記憶された画像データは、必要に応じて、画像信号処理回路１３０で画像処理、圧縮伸張処理回路１３２で圧縮処理がなされた後、メディアコントローラ１４２の制御により記憶メディア１４４に記憶される。
【００２８】
図示されないスイッチなどにより、ポストビュー、すなわち、撮影直後に画像を画像表示装置１３６に表示するモードが設定されている場合、画像信号処理回路１３０で必要に応じて画像処理がされた後、画像データはＶＲＡＭ１４０に記憶される。記憶された画像データは、ビデオエンコーダ１３４によりＮＴＳＣ方式に変換され、画像表示装置１３６により表示される。
【００２９】
画像データが記憶メディア１４４に記憶された後、モード切替スイッチ１４８が再生モードに設定されると、記憶メディア１４４に記憶された画像データはメディアコントローラ１４２の制御によりＳＤＲＡＭ１３８に展開される。展開された画像データは圧縮伸張処理回路１３２により伸長処理がされて、ＳＤＲＡＭ１３８に再度展開される。展開された画像データは、ＶＲＡＭ１４０に記憶され、ビデオエンコーダ１３４によりＮＴＳＣ方式に変換される。変換された画像データは、画像表示装置１３６に表示される。
【００３０】
スイッチ１４８が動画撮影モードに設定されている場合には、ステップ２１２で、所定の動画撮影が実行される。
【００３１】
すなわち、ディジタルカメラ１０は、ＵＳＢインタフェース１５０を介して、パーソナルコンピュータからデータ書替要求信号を入力した場合に、電源回路１０４の電源供給先をフラッシュＲＯＭ１１４に切り替えるように、切替スイッチ１０８を制御する。これによれば、通常の電圧よりも高い電圧を供給する電源を別途設ける必要がなく、かつ、フラッシュＲＯＭ１１４に電源を供給している間、ＣＣＤ１１２に時分割で電源を供給しないため、データ書替の処理速度が低下することがない。
【００３２】
次に、本発明の第２の実施の形態の作用を図３を参照して説明する。なお、第２の実施の形態の構成は第１の実施の形態と同様であるので、説明を省略する。また、第１の実施の形態の作用と同一の第２の実施の形態の作用は、図２に示す参照符号と同一の参照符号を付して説明を省略する。
【００３３】
ステップ２０４で、フラッシュＲＯＭ１１４のデータ書替モードであるか否かが判断され、データ書替モードであることが判定されると、ステップ３０２で、電源回路１０４の電圧値が電圧計測回路１５８により計測される。ステップ３０４で、電源回路１０４の電圧値がフラッシュＲＯＭ１１４のデータ書替を完全に終了するために十分であるか否かがＣＰＵ１０２により判断される。この判断は、予め、フラッシュＲＯＭ１１４を書き替えるための電圧値をフラッシュＲＯＭ１１４に記憶しておき、これにもとづいてなされてもよいし、パーソナルコンピュータからデータ書替要求信号とともに入力し、これにもとづいてなされてもよい。
【００３４】
電源回路１０４の電圧値がフラッシュＲＯＭ１１４のデータ書替を完全に終了するために十分でないと判断されると、ステップ３０６で、ＣＣＤ１０２はＬＥＤ１５６を点灯させ、電源回路１０４の電圧値が十分でないため、フラッシュＲＯＭ１１４に電源回路１０４を接続しないことを報知する。
【００３５】
なお、電源回路１０４の電圧値が十分でないため、フラッシュＲＯＭ１１４に電源回路１０４を接続しないことの報知は、例えば、画像表示装置１３６において、画像、文字、記号などの表示によりなされてもよいし、図示されないスピーカなどで音声によりなされてもよい。
【００３６】
電源回路１０４の電圧値がフラッシュＲＯＭ１１４のデータ書替を完全に終了するために十分であると判断されると、第１の実施の形態で説明されたステップ２０６〜２１０の処理が実行され、フラッシュＲＯＭ１１４のデータ書替がなされる。
【００３７】
すなわち、ディジタルカメラ１０は、ＵＳＢインタフェース１５０を介して、該ディジタルカメラ１０がパーソナルコンピュータからデータ書替要求信号を入力し、かつ、電圧計測回路１５８により計測された電源回路１０４の電圧値がフラッシュＲＯＭ１１４ののデータ書替のために要求される電圧値より大きい場合、電源回路１０４の電源供給先をフラッシュＲＯＭ１１４に切り替え、ＵＳＢインタフェース１５０を介して、該ディジタルカメラ１０がパーソナルコンピュータからデータ書替要求信号を入力し、かつ、電圧計測回路１５８により計測された電源回路１０４の電圧値がフラッシュＲＯＭ１１４のデータ書替のために要求される電圧値より小さい場合、データ書替が不可能であることをＬＥＤ１５６により報知する。これによれば、通常の電圧よりも高い電圧を供給する電源を別途設ける必要がなく、かつ、フラッシュＲＯＭ１１４に電源を供給している間、ＣＣＤ１１２に時分割で電源を供給しないため、データ書替の処理速度が低下することがなく、また、電源回路１０４の電圧値がフラッシュＲＯＭ１１４のデータ書替のために要求される電圧値より小さい場合には、フラッシュＲＯＭ１１４に電源を供給しないため、フラッシュＲＯＭ１１４のデータ書替途中に電圧値の不足により処理が停止することがない。
【００３８】
なお、第１および第２の実施の形態では、説明を容易にするために、電源回路１０４をＣＣＤ１１２を駆動するための電源回路として説明したが、本発明はこれに限定されるものではなく、例えば、図示されないストロボの充電、および、機構部分の駆動に使用される電源回路であってもよい。
【００３９】
第１および第２の実施の形態では、ステップ２０２で、切替スイッチ１０８がＣＣＤドライバ１１０側に設定されるものとした。電源投入時には、ハードウェアが不安定となる場合があるので、このように、切替スイッチ１０８はＣＣＤドライバ１１０側に設定されていることが好ましいが、本発明はこれに限定されない。例えば、ステップ２０４で、データ書替モードではないことが判断された後で、切替スイッチをＣＣＤドライバ１１０側に設定してもよい。
【００４０】
第１および第２の実施の形態では、データ変更装置と接続する接続手段として、ＵＳＢインタフェース１５０を記載したが、本発明はこれに限定されるものではなく、例えば、シリアルインタフェース、赤外線インタフェース、もしくは、イーサネット（Ｒ）、ワイヤレスを介するＬＡＮのインタフェースなどであってもよい。また、データ変更装置はパーソナルコンピュータに限定されるものではなく、例えば、フラッシュＲＯＭ専用のライターなどであってもよい。
【００４１】
【発明の効果】
以上説明したように、本発明の撮影装置は、接続手段を介して、データ変更装置からデータ書替要求信号を入力した場合に、電源回路の電源供給先をメモリに切り替えるようにしているので、通常の電圧よりも高い電圧を供給する電源を別途設ける必要がなく、かつ、データ書替の処理速度が低下することがない、という効果が得られる。
【図面の簡単な説明】
【図１】本発明の第１および第２の実施の形態におけるディジタルカメラの構成図を示す。
【図２】本発明の第１の実施の形態における電源供給先切替処理のフローチャートを示す。
【図３】本発明の第２の実施の形態における電源供給先切替処理のフローチャートを示す。
【符号の説明】
１０２　　　　ＣＰＵ
１０４　　　　電源回路
１０８　　　　切替スイッチ
１１４　　　　フラッシュＲＯＭ
１２０　　　　ＣＣＤ
１５０　　　　ＵＳＢインタフェース
１５６　　　　ＬＥＤ
１５８　　　　電圧計測回路
【図１】
2004128722.tif 000003
【図２】
2004128722.tif 000004
【図３】
2004128722.tif 000005